(57)【特許請求の範囲】
【請求項１】
所定の情報を提供する情報提供媒体であって、
ベース部と、
前記ベース部に対して着脱自在に設置され、第１情報を表示する第１情報表示部と、
前記ベース部に対して着脱自在に設置され、前記第１情報に対し出所又は観念に関して関連付けられた第２情報を表示する第２情報表示部と、
前記ベース部に対して着脱自在に設置され、前記第１情報又は前記第２情報に対し出所又は観念に関して関連付けられた第３情報を表示する第３情報表示部と、
を有し、
前記ベース部は、第１ベース部と、前記第１ベース部に接続し当該第１ベース部に対して直交する方向に延在した第２ベース部と、前記第２ベース部に接続し当該第２ベース部に対して直交する方向に延在した第３ベース部と、を有し、
前記第１情報表示部は、前記第１ベース部に設置され、
前記第２情報表示部は、前記第２ベース部に設置され、
前記第３情報表示部は、前記第３ベース部に設置され、
前記第１ベース部と前記第２ベース部と前記第３ベース部とで囲まれた囲み空間部が形成され、
前記第２情報表示部は、立体状に形成され、前記第２ベース部において下方から支持される形で前記囲み空間部に配置されることを特徴とする情報提供媒体。
【請求項２】
前記第１ベース部、前記第２ベース部及び前記第３ベース部が一体物を曲げ加工されて形成されていることを特徴とする請求項１に記載の情報提供媒体。
【請求項３】
前記第１情報表示部、前記第２情報表示部又は前記第３情報表示部の少なくともいずれかには、液晶表示部を備えた通信機器が含まれることを特徴とする請求項１又は２に記載の情報提供媒体。
【請求項４】
前記第１情報表示部、前記第２情報表示部又は前記第３情報表示部の少なくともいずれかに、ＱＲコード表示部を含み、
前記ＱＲコード表示部の識別情報を取得して端末から所定のウエブサイトへのアクセスを可能にすることを特徴とする請求項３に記載の情報提供媒体。
【請求項５】
前記第１情報表示部と前記第１ベース部との間、および前記第２情報表示部と前記第２ベース部との間、前記第３情報表示部と前記第３ベース部との間には、面ファスナーが介在されていることを特徴とする請求項１乃至４のいずれか１項に記載の情報提供媒体。
【請求項６】
前記ベース部は、金属で構成されていることを特徴とする請求項１乃至５のいずれか１項に記載の情報提供媒体。
【発明の詳細な説明】
【技術分野】
【０００１】
本発明は、所定の情報を提供する情報提供媒体に関する。
【背景技術】
【０００２】
従来の装飾品は、例えば、ベース部と、前記ベース部の一部の領域を構成する第１領域に装着され第１情報を開示する第１情報開示部と、前記ベース部の他の一部の領域を構成する第２領域に装着され第２情報を開示する第２情報開示部と、を有し、前記第１情報開示部又は前記第２情報開示部は、前記ベース部に対して着脱自在に構成され、前記第１情報開示部が前記第１領域と前記第２領域と前記第２情報開示部との少なくともいずれか２つの部位間で装着可能に構成され、又は前記第２情報開示部が前記第２領域と前記第１領域と前記第１情報開示部との少なくともいずれか２つの部位間で装着可能に構成されていることを特徴とする（下記特許文献１参照）。
【０００３】
この装飾品によれば、装飾品が開示する情報等を第三者に対して強烈に訴求することができる。
【先行技術文献】
【特許文献】
【０００４】
【特許文献１】特開２０１５−８８４７号公報
【発明の概要】
【発明が解決しようとする課題】
【０００５】
しかしながら、従来の装飾品で開示される各種情報は、あくまでも静止画的な情報であり、面白みに欠けていた。また、装飾品単独で完結する構成であるため、お土産品として適していても、ウエブサイトやＳＮＳなどを利用できるインターネット通信との互換性がなく、用途が極めて制限されていた。
【０００６】
そこで、本発明は、上記問題に鑑み、インテリアとしての機能を備えつつ、かつ情報の訴求力を高めることができる情報提供媒体を提供することを目的とする。
【課題を解決するための手段】
【０００７】
本発明は、所定の情報を提供する情報提供媒体であって、ベース部と、前記ベース部に対して着脱自在に設置され、第１情報を表示する第１情報表示部と、前記ベース部に対して着脱自在に設置され、前記第１情報に対し出所又は観念に関して関連付けられた第２情報を表示する第２情報表示部と、前記ベース部に対して着脱自在に設置され、前記第１情報又は前記第２情報に対し出所又は観念に関して関連付けられた第３情報を表示する第３情報表示部と、を有し、前記ベース部は、第１ベース部と、前記第１ベース部に接続し当該第１ベース部に対して直交する方向に延在した第２ベース部と、前記第２ベース部に接続し当該第２ベース部に対して直交する方向に延在した第３ベース部と、を有し、前記第１情報表示部は、前記第１ベース部に設置され、前記第２情報表示部は、前記第２ベース部に設置され、前記第３情報表示部は、前記第３ベース部に設置され、前記第１ベース部と前記第２ベース部と前記第３ベース部とで囲まれた囲み空間部が形成され、前記第２情報表示部は、立体状に形成され、前記第２ベース部において下方から支持される形で前記囲み空間部に配置されることを特徴とする。
【０００８】
本発明によれば、各情報表示部で表示される各情報が出所又は観念において相互に関連するため、アピールしたい情報に３つの情報表示部から焦点をあてて第三者に対してアピールすることができる。また、各情報表示部は各ベース部に対して着脱自在に配置されているので、各情報表示部を適宜取り外すことにで、新しい情報を表示することができる。これにより、情報の訴求力を高めるとともに、多くの情報を表示することが可能になり、情報の宣伝効率が高くなる。
【０００９】
この場合、前記第１ベース部、前記第２ベース部及び前記第３ベース部が一体物を曲げ加工されて形成されていることが好ましい。
【００１０】
この構成によれば、ベース部を曲げ加工して第１ベース部、第２ベース部及び第３ベース部が形成されているため、製造が容易になる。
【００１１】
この場合、前記第１情報表示部、前記第２情報表示部又は前記第３情報表示部の少なくともいずれかには、液晶表示部を備えた通信機器が含まれることが好ましい。
【００１２】
この構成によれば、第１情報表示部、第２情報表示部又は第３情報表示部の少なくともいずれかには、液晶表示部を備えた通信機器が含まれるため、液晶表表示部において所定の映像や画像として情報が表示可能になる。これにより、情報の訴求力が高くなる。
【００１３】
この場合、前記第１情報表示部、前記第２情報表示部又は前記第３情報表示部の少なくともいずれかに、ＱＲコード(登録商標)表示部を含み、前記ＱＲコード表示部の識別情報を取得して端末から所定のウエブサイトへのアクセスを可能にすることが好ましい。
【００１４】
この構成によれば、ＱＲコード表示部の識別情報を取得して端末から所定のウエブサイトへのアクセスを可能にすることにより、広告主の情報を第三者に提供することができる。
【００１５】
この場合、前記第１情報表示部と前記第１ベース部との間、および前記第２情報表示部と前記第２ベース部との間、前記第３情報表示部と前記第３ベース部との間には、面ファスナーが介在されていることが好ましい。
【００１６】
この構成によれば、面ファスナーが介在されているので、各情報表示部とベース部との着脱が可能になる。
【００１７】
この場合、前記ベース部は、金属で構成されていることが好ましい。
【００１８】
この構成によれば、ベース部が金属で構成されていることにより、ベース部の剛性が高くなり、インテリアとしての製品寿命が延びる。
【発明の効果】
【００１９】
本発明によれば、インテリアとしての機能を備えつつ、かつ情報の訴求力を高めることができる。
【図面の簡単な説明】
【００２０】
【図１】本発明の一実施形態に係る情報提供媒体の正面図である。
【図２】本発明の一実施形態に係る情報提供媒体の側面図である。
【図３】本発明の一実施形態に係る情報提供媒体の実施例１を示す図である。
【図４】本発明の一実施形態に係る情報提供媒体の実施例２を示す図である。
【発明を実施するための形態】
【００２１】
本発明の一実施形態に係る情報提供媒体について、図面を参照して説明する。なお、本発明は、情報提供装置あるいは情報提供システムとしても捉えることができる。
【００２２】
図１及び図２に示すように、情報提供媒体１０は、ベース部１２を備えている。ベース部１２は、例えば一枚の金属で構成されている。なお、ベース部１２は、金属で構成される場合に限定されず、例えば、プラスチック、樹脂、ゴム、板などの他の材質で構成することも可能である。
【００２３】
ここで、ベース部１２は、平面状でかつ大きな面積を有する第１ベース部１２Ａと、第１ベース部１２Ａに接続するとともに当該第１ベース部１２Ａに対して直交する方向に延在した第２ベース部１２Ｂと、第２ベース部１２Ｂに接続するとともに当該第２ベース部１２Ｂに対して直交する方向に延在した第３ベース部１２Ｃと、を有する。このため、第１ベース部１２Ａと第２ベース部１２Ｂと第３ベース部１２Ｃとで囲まれた囲み空間部１４が形成される。なお、囲み空間部１４の開口端を他の部材等で接続したり、あるいは埋めることも可能である。
【００２４】
ベース部１２を例えば一枚の金属で構成し、適宜折り曲げ加工することにより、第１ベース部１２Ａ、第２ベース部１２Ｂ及び第３ベース部１２Ｃを容易に形成することができる。これにより、ベース部１２の成形が低コストで実現される。
【００２５】
第１ベース部１２Ａは、平面状の最も大きさ表面積を占める大領域部であり、ユーザからの正面視において最も目立つ部位である。第１ベース部１２Ａには、第１情報を表示する第１情報表示部１６Ａが着脱自在に貼り付けられる。
【００２６】
第２ベース部１２Ｂは、第１ベース部１２Ａと第３ベース部１２Ｃとを接続する接続部を兼ねる。第２ベース部１２Ｂには、第２情報を表示する第２情報表示部１６Ｂが着脱自在に貼り付けられる。
【００２７】
第３ベース部１２Ｃは、第１ベース部１２Ａに対して略平行に形成された平面状の比較的小さな表面積を有する小領域部であり、最もユーザ側に突出した位置にある部位である。第３ベース部１２Ｃには、第３情報を表示する第３情報表示部１６Ｃが着脱自在に貼り付けられる。なお、第３ベース部１２Ｃは、最もユーザ側に突出した位置にある点でユーザの目につきやすい。
【００２８】
第１情報表示部１６Ａ、第２情報表示部１６Ｂ及び第３情報表示部１６Ｃは、平面状（２次元）のものでも、立体形状（３次元）のものでもよい。
【００２９】
平面状のものとして、例えば、平面状のシートに所定のデザイン、画像、文字、記号、文章、キャッチフレーズなどの群により選ばれる少なくとも１以上の情報が開示されているものが該当する。開示手段としては、予めシートに印字されていてもよく、ユーザ等が手書きによりシートに適宜書き込むようにしてもよい。
【００３０】
立体状のものとして、例えば、突出部や湾曲部（平面部との組み合わせも含む）に所定のデザイン、画像、文字、記号、文章、キャッチフレーズなどの群により選ばれる少なくとも１つ以上の情報が開示されているもの、あるいはフィギュア等のように立体形状のキャラクタで構成されているもの、などが該当する。
【００３１】
なお、立体状のものと平面状のものを適宜組み合わせて構成したものでもよい。
【００３２】
第１情報表示部１６Ａは、１枚の単一物で構成されていてもよく、あるいは相互に独立して分割可能となる複数の構成部で構成されていてもよい。
【００３３】
第２情報表示部１６Ｂは、同様にして、１枚の単一物で構成されていてもよく、あるいは相互に独立して分割可能となる複数の構成部で構成されていてもよい。
【００３４】
第３情報表示部１６Ｃは、同様にして、１枚の単一物で構成されていてもよく、あるいは相互に独立して分割可能となる複数の構成部で構成されていてもよい。
【００３５】
ここで、第１情報表示部１６Ａ、第２情報表示部１６Ｂ及び第３情報表示部１６Ｃのうち少なくとも２つの表示部同士は、思想、出所又は観念上、同一あるいは関連付けられたものとなるように設定されることが好ましい。例えば、「思想」とは、ある物事に対する考え方を共通するものであり、「出所」とは同じ会社や同一個人に関する情報であり、「観念上」とは物語の連続性が成立するための情報である。
【００３６】
第１情報表示部１６Ａ、第２情報表示部１６Ｂ及び第３情報表示部１６Ｃのうち少なくとも１つあるいは１つの構成部に、液晶表示部を備えた通信機器２２を含めて構成されてもよい。本実施形態では、第１情報表示部１６Ａが例えば３つの構成部１６Ａ１、１６Ａ２、１６Ａ３から構成されており、そのうち１つの構成部１６Ａ２に通信機器２２が採用されている。通信機器２２を用いた場合には、スピーカ１８が設けられる。例えば、第２情報表示部１６Ｂの内部にスピーカ１８を設け、通信機器２２からスピーカ１８に対して音声信号を無線又は有線で送信することによりスピーカ１８からの音声出力が可能になる。なお、各情報表示部１６Ａ、１６Ｂ、１６Ｃは、３つの構成部に限られず、単数又は４つ以上の複数に分割されていてもよい。
【００３７】
ここで、スピーカ１８が第１情報表示部１６Ａと第２情報表示部１６Ｂと第３情報表示部１６Ｃとで囲まれて形成された囲み空間部１４に配置されることにより、囲み空間部１４が閉塞空間となって導音路として機能し、音声がベース部１２の幅方向に対して流れ易くなる。これにより、音波の発散を低減でき、音声の出力機能を高めることができる。また同時に、スピーカ１８が囲み空間部１４に配置されていることにより、スピーカ１８が外部に露出せず、意匠性が損なわれない。
【００３８】
第１情報表示部１６Ａ、第２情報表示部１６Ｂ及び第３情報表示部１６Ｃのうち少なくとも１つの表示部、あるいは１つの表示部を構成する複数の構成部のうち１つの構成部に、広告主の情報、ＱＲコード(登録商標、以下同様)、スポンサー企業、宣伝などの各種情報が表示されていてもよい。これらの情報を表示することにより、広告主やスポンサー企業の宣伝効果を高めることができる。例えば、ＱＲコードが表示されている場合、ユーザの携帯電話装置や端末装置でＱＲコードに関する情報を取得することにより、当該情報に紐づけられた広告主やスポンサー企業のサイトを携帯電話装置や端末装置の液晶表示部で表示することができる。これにより、宣伝広告効果を一層高めることができる。
【００３９】
第１情報表示部１６Ａと第１ベース部１２Ａとの間、第２情報表示部１６Ｂと第２ベース部１２Ｂとの間、及び第３情報表示部１６Ｃと第３ベース部１２Ｃとの間には、両者の着脱自在を可能にするための装着部材２０が介在されている。装着部材２０として、例えば、面ファスナー、取り外し可能な接着材、シール剤、相互に嵌め合う凸凹部など、既存の化学的又は物理的な手段が用いられる。なお、装着部材２０は、各情報表示部１６Ａ、１６Ｂ、１６Ｃ側又は各ベース部１２Ａ、１２Ｂ、１２Ｃ側のいずれか一方又は両方に設けられる。
【００４０】
第１情報表示部１６Ａ、第２情報表示部１６Ｂ及び第３情報表示部１６Ｃは、単独で販売することも可能である。例えば、立体物であれば、五感に訴えることができるように成形することで、アクセサリーやファッションツールに転用することも可能である。また、置物としても利用できる。
【００４１】
本実施形態の情報提供媒体１０によれば、各情報表示部１６Ａ、１６Ｂ、１６Ｃによって情報の提供能力が近くなる。特に、各情報表示部１６Ａ、１６Ｂ、１６Ｃで表示される各情報が相互に関連することにより、視覚的又は観念的にまとまった一連の印象を構築して表現することができ、訴求効果が向上する。特に、観光産業において利用価値が高くなる。
【００４２】
各情報表示部１６Ａ、１６Ｂ、１６Ｃは、各ベース部１２Ａ、１２Ｂ、１２Ｃに対して着脱自在に設けられるため、適宜、各情報表示部１６Ａ、１６Ｂ、１６Ｃを取り外して別のものを装着することにより、１つのベース部１２があれば、多岐にわたる情報を表示できる。
【００４３】
通信機器２２をベース部１２側に装着することにより、所定の情報を動画形式で演出することができる。その他の静止画の情報と関連させることにより、情報の訴求力が高くなる。
【００４４】
特に、ＱＲコード(登録商標)を表示させることにより、ユーザの携帯電話装置でＱＲコード(登録商標)の情報を取得すれば、広告主や投資家等の企業又は個人のウエブサイトが携帯電話装置の液晶表示部に表示される。これにより、広告主や投資家等の企業又は個人のウエブサイトにユーザを誘導することができ、広告宣伝効果が高くなる。
【００４５】
以下、本発明の様々な実施例について説明する。なお、下記の実施例については、本発明が各実施例に限定されるものではなく、本発明の一つの適用例として参考的に開示されたものである。
【００４６】
（実施例１）
次に、実施例１について説明する。
【００４７】
図３に示すように、実施例１は、第１情報表示部１６Ａの一つの構成部１６Ａ２として通信機器２２が採用されている。第２情報表示部１６Ｂには第１情報表示部１６Ａで表示される情報と関連する情報の立体物２４で構成されている。第３情報表示部１６Ｃには、第１情報表示部１６Ａ及び第２情報表示部１６Ｂで表示される情報と関連する情報が表示された平面状部材２６や立体状部材２８で構成されている。これらにより、通信機器２２の液晶表示部において他の情報表示部で表示されている情報と関連する情報の動画や映像を出力することができる。この結果、ユーザに対する情報の訴求効果が高くなり、宣伝効果が向上する。
【００４８】
（実施例２）
次に、実施例２について説明する。
【００４９】
図４に示すように、実施例２は、第１情報表示部１６Ａの全てが紙媒体又は布媒体の軟質部材３０で構成されている。第２情報表示部１６Ｂには第１情報表示部１６Ａで表示される情報と関連する情報の立体物２４で構成され、ここでは少なくとも一部に模型が含まれている。このように特殊に装飾品を配置することにより、情報を訴求効果が高くなり、宣伝効果が向上する。
【００５０】
なお、上記実施例は本発明の一例を挙げたものに過ぎず、当業者が適宜設計変更できる範囲は、本発明の範囲に含まれる。
【符号の説明】
【００５１】
１０    情報表示媒体
１２    ベース部
１２Ａ  第１ベース部
１２Ｂ  第２ベース部
１２Ｃ  第３ベース部
１４    囲み空間部
１６Ａ  第１情報表示部
１６Ｂ  第２情報表示部
１６Ｃ  第３情報表示部
１８    スピーカ
２０    装着部材
２２    通信機器
２４    立体物
２６    平面状部材
２８    立体状部材
３０    軟質部材
【要約】
【課題】インテリアとしての機能を備えつつ、かつ情報の訴求力を高めることができる情報提供媒体を提供する。
【解決手段】ベース部１２に対して着脱自在に設置され第１情報を表示する第１情報表示部１６Ａと、ベース部に対して着脱自在に設置され第１情報に対し出所又は観念に関して関連付けられた第２情報を表示する第２情報表示部１６Ｂと、ベース部に対して着脱自在に設置され第１情報又は第２情報に対し出所又は観念に関して関連付けられた第３情報を表示する第３情報表示部１６Ｃと、を有し、ベース部１２は、第１ベース部１２Ａと、第２ベース部１２Ｂと、第３ベース部１２Ｃと、を有し、第１情報表示部１６Ａは第１ベース部１２Ａに設置され、第２情報表示部１６Ｂは第２ベース部１２Ｂに設置され、第３情報表示部１６Ｃは第３ベース部１２Ｃに設置される。
【選択図】      図１【図１】
0005887010.tif 000002
【図２】
0005887010.tif 000003
【図３】
0005887010.tif 000004
【図４】
0005887010.tif 000005